(57)【要約】【課題】装着した補助具が判り難く、容易にサイズ変更が可能で、長期間の着用に支障がない盛り髪補助具を提供する。【解決手段】盛り髪補助具１は、部分かつら２と、袋状の網体３と、ふかし毛４と、挟持体５とを有する。ふかし毛４を収容する網体３は伸縮可能な素材でその収容量を調整して部分かつら２を好みの高さ・ボリュームとする。盛り髪補助具１をセットする際は頭頂部の髪を適量持ち上げ、その分け目に盛り髪補助具１の取り付け位置を調節しながら載置し、挟持体５で中の髪に固定する。その後持ち上げた髪を補助具１を覆うように被せる。被せた髪や側部の髪をヘアゴムで束ねるか、あるいはヘアピンやクリップなどで留め好みの髪型にセットする。【選択図】図２
0003159526.tif 000002
【実用新案登録請求の範囲】
【請求項１】
ボリュームを出したい部分の髪の内部に盛上げ材を装着し、被せた髪を結ったり巻き上げたりすることで盛り髪を形成する盛り髪補助具において、前記盛上げ材は、部分かつらの内部に取り付ける袋状の網体と、この網体に収容するふかし毛と、部分かつら内面に取り付け地毛を挟み込む挟持体とを備えることを特徴とする盛り髪補助具。
【考案の詳細な説明】
【技術分野】
【０００１】
この考案は、一般の人であっても簡易に盛り髪のセットが可能な盛り髪補助具に関する。
【背景技術】
【０００２】
盛り髪は、女性の髪形の一種で、髪を結ったり巻き上げたりすることで頭を大きく盛った髪型を指し、そのファッション性や目立つ髪型であることで最近では若い一般女性の間にも広まっている。
【０００３】
従来盛り髪をセットするためには、逆毛を立て、ゴムやヘアピン、ヘアスプレーを用いて髪のトップを巻き上げて盛り上げていたが、一般的なヘアセットとは異なる特殊な髪型であるため、盛り髪を専門にする美容師を利用しなければならなかった。
【０００４】
最近では美容師を頼らず一般の人にも盛り髪のセットが可能な盛り髪補助具が提案されている。このような盛り髪補助具としては、例えば非特許文献１に記載されるようなヘアーアクセサリーが提案されていた。
【非特許文献１】Ｙａｈｏｏ！ショッピングホームページ，２００９年１２月１４日，ナイスセレクティー，ヘアーアクセサリー，セレアップヘア（Ｃｅｌｅ−ｕｐ  Ｈａｉｒ）ＵＲＬ，http://store.shopping.yahoo.co.jp/niceselecty/66176.html
【０００５】
この盛り髪補助具は図５に示すように、合成樹脂製の円弧状櫛体であって、上面には２列の矢じり状突起体１０２を放射状に多数本突設し、下面にはアーチ状の櫛１０３を前後面に形成していた。
【０００６】
この盛り髪補助具１０１をセットする場合には図６に示すように、ボリュームを出したい部分の髪を適量持ち上げ、髪の根元に補助具１０１の櫛を差込み固定し、その後持ち上げた髪を補助具の上に掛け、突起体１０２に掛止させると共に被せた髪や側部の髪を図示しないヘアゴムで束ねるか、あるいはヘアピンやクリップなどで留めることで好みの髪型にセットするものであった。
【０００７】
このような補助具を用いると、逆毛を立てる必要がないので髪の負担が少なく、ヘアースプレー等の整髪料の使用量も低減でき、又セットも短時間ででき、崩れ難いという利点もあった。
【考案の開示】
【考案が解決しようとする課題】
【０００８】
しかし、従来の盛り髪補助具は、硬質な円弧状部材を用いていたため、髪の量が少なかったり、その長さや髪質によっては被せた髪から補助具が露出する恐れがあった。又、服装や場所に合わせて盛り髪の高さを変更する場合には、別のサイズの補助具を用意する必要があった。又、補助具が硬質素材であったため、長時間着用すると痛みを感ずる恐れもあった。
【０００９】
この考案は、従来の盛り髪補助具が有する上記の問題点を解消すべくなされたものであり、装着した補助具が判り難く、容易にサイズ変更が可能で、長期間の着用に支障がない盛り髪補助具を提供することを目的としている。
【課題を解決するための手段】
【００１０】
上記課題を解決するため、この考案の盛り髪補助具は、ボリュームを出したい部分の髪の内部に盛上げ材を装着し、被せた髪を結ったり巻き上げたりすることで盛り髪を形成する盛り髪補助具において、前記盛上げ材は、部分かつらの内部に取り付ける袋状の網体と、この網体に収容するふかし毛と、部分かつら内面に取り付け地毛を挟み込む挟持体とを備えることを特徴とするものである。
【００１１】
袋状の網体は、伸縮可能な素材でふかし毛の量の調節が可能な構成である。ふかし毛は梳毛（すきげ）とも言われ、頭髪の形を整えるために髪の中に入れたり、又は梳き櫛に挟んで毛を梳くのに用いる毛の束で、自髪にボリュームを出すための補正として使われる化学繊維である。このふかし毛の量を調節して部分かつらの高さを調節する。
【００１２】
挟持体はバネ性のワンタッチクリップが望ましく、部分かつら内面の適宜箇所に複数個設置することが望ましい。この挟持体を用いて内部の髪と固定し、持ち上げた髪を部分かつらの上に掛け、好みの髪型にセットする。
【考案の効果】
【００１３】
この考案の盛り髪補助具は、部分かつらを盛上げ材として用いるので、装着した補助具が判り難く、髪の量が少なめであったり、髪の長さや髪質によって補助具が露出しそうな場合でも装着した感じが自然にみえる。
【００１４】
又盛上げ材として袋状の網体に収容するふかし毛の量が調節可能であるので、容易にサイズ変更が可能である。又、挟持体で地毛を挟み込むので装着が容易である。又硬質な素材を用いないので長期間着用しても痛くなることがなく、又ふっくらとした形状の維持が長期間可能である。
【考案を実施するための最良の形態】
【００１５】
次にこの考案の実施の形態を添付図面に基づき詳細に説明する。図１は盛り髪補助具の内面を示す平面図、図２は網体を持ち上げた状態の盛り髪補助具の内面を示す平面図、図３はふかし毛を収容する際の盛り髪補助具の内面を示す平面図である。盛り髪補助具１は、部分かつら２と、その前方内部に取り付ける袋状の網体３と、この網体３に収容するふかし毛４と、網体３の前方及び下面で部分かつら２の内面に取り付ける挟持体５とを有する。
【００１６】
網体３は、伸縮可能な素材で例えばゴム網等が用いられ、拡幅可能な取出口３ａを開閉する。図３に示すようにその取出口３ａを介してふかし毛４を収容するが、その収容量を調整して好みの高さ・ボリュームとする。
【００１７】
ふかし毛４は、毛たぼ、あんこ、毛すき、梳毛とも言い、例えば日本髪などで前髪の根元のボリューム出し、鬢の根元のボリューム出しや崩れ防止、髷のふくらみのボリューム出しや崩れ防止、たぼのボリューム出しなどに用いられている。
【００１８】
挟持体５としてはバネ性のワンタッチクリップを使用する。その板材５ａの裏面中央を押すか両端部を押し下げて線材５ｂを上方に湾曲させ、開放状態となったクリップの中に髪を挟み、今度は逆に表面中央を押し込むか両端部を押し上げて挟持体５を髪に固定する。
【００１９】
次のこの盛り髪補助具の装着方法を図４に基づき説明する。図４は盛り髪補助具装着時の説明図である。頭頂部の髪を適量持ち上げクリップなどで留める。その分け目に盛り髪補助具１の取り付け位置を調節しながら載置し、挟持体で中の髪に固定する。その後持ち上げた髪を補助具１を覆うように被せる。被せた髪や側部の髪をヘアゴムで束ねるか、あるいはヘアピンやクリップなどで留め好みの髪型にセットする。
【図面の簡単な説明】
【００２０】
【図１】盛り髪補助具の内面を示す平面図である。
【図２】網体を持ち上げた状態の盛り髪補助具の平面図である。
【図３】ふかし毛を収容する際の盛り髪補助具の平面図である。
【図４】盛り髪補助具装着時の説明図である。
【図５】従来の盛り髪補助具の斜視図である。
【図６】従来の盛り髪補助具装着時の説明図である。
【符号の説明】
【００２１】
１  盛り髪補助具
２  部分かつら
３  網体
４  ふかし毛
５  挟持体
【図１】
0003159526.tif 000003
【図２】
0003159526.tif 000004
【図３】
0003159526.tif 000005
【図４】
0003159526.tif 000006
【図５】
0003159526.tif 000007
【図６】
0003159526.tif 000008
【手続補正書】
【提出日】平成22年3月15日(2010.3.15)
【手続補正１】
【補正対象書類名】実用新案登録請求の範囲
【補正対象項目名】全文
【補正方法】変更
【補正の内容】
【実用新案登録請求の範囲】
【請求項１】
ボリュームを出したい部分の髪の内部に装着し、被せた髪を結ったり巻き上げたりすることで盛り髪を形成する盛り髪補助具において、部分かつらの内部に取り付ける袋状の網体と、この網体に収容するふかし毛と、部分かつら内面に取り付け地毛を挟み込む挟持体とを備えることを特徴とする盛り髪補助具。
【手続補正２】
【補正対象書類名】明細書
【補正対象項目名】００１０
【補正方法】変更
【補正の内容】
【００１０】
上記課題を解決するため、この考案の盛り髪補助具は、ボリュームを出したい部分の髪の内部に装着し、被せた髪を結ったり巻き上げたりすることで盛り髪を形成する盛り髪補助具において、部分かつらの内部に取り付ける袋状の網体と、この網体に収容するふかし毛と、部分かつら内面に取り付け地毛を挟み込む挟持体とを備えることを特徴とするものである。
【手続補正３】
【補正対象書類名】明細書
【補正対象項目名】００１３
【補正方法】変更
【補正の内容】
【００１３】
この考案の盛り髪補助具は、部分かつらを用いるので、装着した補助具が判り難く、髪の量が少なめであったり、髪の長さや髪質によって補助具が露出しそうな場合でも装着した感じが自然にみえる。
【手続補正４】
【補正対象書類名】明細書
【補正対象項目名】００１４
【補正方法】変更
【補正の内容】
【００１４】
又袋状の網体に収容するふかし毛の量が調節可能であるので、容易にサイズ変更が可能である。又、挟持体で地毛を挟み込むので装着が容易である。又硬質な素材を用いないので長期間着用しても痛くなることがなく、又ふっくらとした形状の維持が長期間可能である。